(57)【要約】  本発明は、衣類のホルムアルデヒドを除去する洗濯機の洗浄方法を開示する。前記洗浄方法は、開始ステップＳ１と、洗濯待ち衣類を洗濯機に投入し、洗濯待ち衣類のホルムアルデヒド含有量を検出するステップＳ２と、給水し、所定の時間だけ漬け置くステップＳ３と、洗濯機内のホルムアルデヒド含有量情報から加熱の要否を判断するステップＳ４と、設定温度まで加熱し、洗浄槽を所定の回転速度及び回転停止比で回転させるステップＳ５と、ホルムアルデヒド除去プログラム及び洗濯プログラムを実行するステップＳ６と、を含む。本発明における前記衣類のホルムアルデヒドを除去する洗浄方法によれば、洗濯待ち衣類のホルムアルデヒド含有量が自動的に検出されるかユーザにより設定されて、的確な洗浄モードを実行可能となる。よって、洗浄後の衣類に対するユーザの安全性が高まるとともに、洗濯機に対するユーザの多機能要求が満たされる。【選択図】図２
2019514519.tif 000002
【特許請求の範囲】
【請求項１】
衣類のホルムアルデヒドを除去する洗濯機の洗浄方法において、
開始ステップＳ１と、
洗濯待ち衣類を洗濯機に投入し、洗濯待ち衣類のホルムアルデヒド含有量を検出するステップＳ２と、
給水し、所定の時間だけ漬け置くステップＳ３と、
洗濯機内のホルムアルデヒド含有量情報から加熱の要否を判断するステップＳ４と、
設定温度まで加熱し、洗浄槽を所定の回転速度及び回転停止比で回転させるステップＳ５と、
ホルムアルデヒド除去プログラム及び洗濯プログラムを実行するステップＳ６と、を含むことを特徴とする方法。
【請求項２】
洗濯待ち衣類を洗濯機に投入するステップＳ２は、更に、
衣類の材質種別、衣類の重量情報を含む衣類情報を取得するステップＳ２２と、
ホルムアルデヒド含有量及び衣類情報から給水量を取得し、算出された給水量に基づいてステップＳ３を実行するステップＳ２３と、を含むことを特徴とする請求項１に記載の衣類のホルムアルデヒドを除去する洗濯機の洗浄方法。
【請求項３】
ステップＳ３において所定の時間だけ漬け置く際に、洗浄槽は所定の回転速度及び回転停止比で回転し、
所定の回転停止比は１未満であり、即ち、回転時間が停止時間よりも短いことを特徴とする請求項１に記載の衣類のホルムアルデヒドを除去する洗濯機の洗浄方法。
【請求項４】
洗濯機内のホルムアルデヒド含有量から加熱の要否を判断するステップＳ４において、洗濯機内のホルムアルデヒド含有量が予め定めた値を超えている場合にはステップＳ５を実行し、洗濯機内のホルムアルデヒド含有量が予め定めた値を超えていない場合には洗濯プログラムを実行することを特徴とする請求項１に記載の衣類のホルムアルデヒドを除去する洗濯機の洗浄方法。
【請求項５】
ステップＳ５における設定温度はホルムアルデヒド含有量に対応しており、その対応関係が洗濯機に蓄積されており、
或いは、ステップＳ５における設定温度はホルムアルデヒド含有量及び衣類の材質に対応しており、その対応関係が洗濯機に蓄積されていることを特徴とする請求項１に記載の衣類のホルムアルデヒドを除去する洗濯機の洗浄方法。
【請求項６】
ステップＳ６のホルムアルデヒド除去プログラムは、
ホルムアルデヒド用洗浄剤を投入するステップＳ６１と、
所定のモードで所定の時間洗浄するステップＳ６２と、
排水し、低速で脱水するステップＳ６３、からなることを特徴とする請求項１に記載の衣類のホルムアルデヒドを除去する洗濯機の洗浄方法。
【請求項７】
ステップＳ６の前記ホルムアルデヒド除去プログラムは洗濯機のローカル又はバックグラウンドサーバに設定されることを特徴とする請求項１〜６のいずれかに記載の衣類のホルムアルデヒドを除去する洗濯機の洗浄方法。
【請求項８】
ステップＳ６におけるホルムアルデヒド除去プログラムは洗濯プログラム内に設定されており、洗濯プログラムにおける洗浄プログラムとホルムアルデヒド除去プログラムが同時に実行されるか、
或いは、ホルムアルデヒド除去プログラムの実行後に洗濯プログラムが実行されることを特徴とする請求項１〜６のいずれかに記載の衣類のホルムアルデヒドを除去する洗濯機の洗浄方法。
【請求項９】
ステップＳ６で洗濯プログラムにおけるすすぎプログラムを実行する際に、ホルムアルデヒド含有量を検出するプログラムを更に含み、ホルムアルデヒド含有量が許容範囲内であるか否かを判断し、許容範囲内の場合にはすすぎプログラムを実行し、許容範囲内でない場合にはすすぎプログラムにすすぎ回数を追加することを特徴とする請求項１に記載の衣類のホルムアルデヒドを除去する洗濯機の洗浄方法。
【請求項１０】
追加するすすぎ回数は１より多いことを特徴とする請求項９に記載の衣類のホルムアルデヒドを除去する洗濯機の洗浄方法。
【発明の詳細な説明】
【技術分野】
【０００１】
本発明は洗濯機の分野に関し、特に、衣類のホルムアルデヒドを除去する洗濯機の洗浄方法に関する。
【背景技術】
【０００２】
急速な経済発展に伴い、生活における健康面がますます重要視されるようになっている。このことから、人々は良質で美しい生活を追い求めるのと同時に、生活における健康を強く望んでいる。
【０００３】
現在、繊維製品の生産過程では、ホルムアルデヒドを用いて衣類の整形効果や染色の堅牢度を向上させることが多いが、処理が不適切な場合には大量のホルムアルデヒドが衣類に残留してしまう。周知のように、ホルムアルデヒドは強い刺激臭を有する気体であり、臭気が鼻を衝くだけでなく、人体にとって大変有害となる場合もある。ホルムアルデヒドには皮膚や目の粘膜を強く刺激する作用があるため、繊維製品にホルムアルデヒドが過剰に存在すると、着用中にホルムアルデヒドが徐々に放出される結果、皮膚や気道を通じて人体を危険にさらすことがある。仮にホルムアルデヒド基準を超えた衣類を長時間にわたり着用し、少量ずつホルムアルデヒドを吸い込んで蓄積されると、慢性呼吸器疾患、結膜炎、喉頭炎、喘息、気管支炎等の疾病が引き起こされ、深刻な場合には癌を誘発する恐れもある。特に、ユーザが新たに衣類を購入した後、処理を施すことなくそのまま着用した場合には健康を大きく損ねることがある。また、肌に密着させて着用する衣類の場合には、皮膚に直接触れることから被害はより大きくなる。現在、繊維製品のホルムアルデヒド含有量は国家基準によって厳しく規制されてはいるが、依然として基準を満たさない粗悪な衣類が存在している。
【０００４】
一方、家電製品のスマート化や洗濯機利用の広がりは進んでいるものの、従来のドラム洗濯機や全自動洗濯機にはホルムアルデヒドを除去する洗浄プログラムは備わっていない。且つ、新たに購入される衣類には多少なりとも一定量のホルムアルデヒドが付着している。ユーザは漬け置き洗いで洗濯すべき衣類を予洗いし、一部のホルムアルデヒドを除去することは可能であるが、衣類におけるホルムアルデヒドの臭気を除去し切ることは不可能であり、衣類に残留するホルムアルデヒドが完全に除去されたか否かを見極めることもできない。仮にユーザが手動で洗浄フローを選択し、ユーザが理解する方式で洗濯すべき衣類からホルムアルデヒドを除去する操作を実施したとしても、実験やテストを経ていないフローでは衣類のホルムアルデヒドを除去し切ることは不可能である。そこで、本発明は、衣類のホルムアルデヒドを除去する洗濯機の洗浄方法を提供する。ユーザは、洗濯機のローカル及びクライアントＡＰＰにおいて相応のホルムアルデヒド除去プログラムを選択可能である。選択後、洗濯機が衣類に対しホルムアルデヒド除去操作を実施することで、時間と労力を節約しながらユーザの健康問題解決を支援しつつ、ユーザのパーソナライズニーズを満足させる。
【０００５】
上記に鑑みて、本発明を提案する。
【発明の概要】
【発明が解決しようとする課題】
【０００６】
本発明は、従来技術の瑕疵を解消し、衣類のホルムアルデヒドを除去する洗濯機の洗浄方法を提供することを解決すべき技術的課題とする。当該方法で用いる洗浄方法によれば、衣類に残留するホルムアルデヒドを徹底的に除去可能である。
【課題を解決するための手段】
【０００７】
上記の目的を実現するために、本発明では以下の技術方案を用いる。即ち、衣類のホルムアルデヒドを除去する洗濯機の洗浄方法であって、開始ステップＳ１と、洗濯待ち衣類を洗濯機に投入し、洗濯待ち衣類のホルムアルデヒド含有量を検出するステップＳ２と、給水し、所定の時間だけ漬け置くステップＳ３と、洗濯機内のホルムアルデヒド含有量情報から加熱の要否を判断するステップＳ４と、設定温度まで加熱し、洗浄槽を所定の回転速度及び回転停止比で回転させるステップＳ５と、ホルムアルデヒド除去プログラム及び洗濯プログラムを実行するステップＳ６と、を含む。
【０００８】
更に、ステップＳ２では、洗濯待ち衣類を洗濯機に投入した後に、更に、衣類の材質種別、衣類の重量情報を含む衣類情報を取得するステップＳ２２と、ホルムアルデヒド含有量及び衣類情報から給水量を取得し、算出された給水量に基づいてステップＳ３を実行するステップＳ２３と、を含む。
【０００９】
更に、ステップＳ３において所定の時間だけ漬け置く際に、洗浄槽は所定の回転速度及び回転停止比で回転し、所定の回転停止比は１未満であり、即ち、回転時間が停止時間よりも短い。
【００１０】
更に、洗濯機内のホルムアルデヒド含有量から加熱の要否を判断するステップＳ４において、洗濯機内のホルムアルデヒド含有量が予め定めた値を超えている場合にはステップＳ５を実行し、洗濯機内のホルムアルデヒド含有量が予め定めた値を超えていない場合には洗濯プログラムを実行する。
【００１１】
更に、ステップＳ５における設定温度はホルムアルデヒド含有量に対応しており、その対応関係が洗濯機に蓄積されており、或いは、ステップＳ５における設定温度はホルムアルデヒド含有量及び衣類の材質に対応しており、その対応関係が洗濯機に蓄積されている。
【００１２】
更に、ステップＳ６のホルムアルデヒド除去プログラムは、ホルムアルデヒド用洗浄剤を投入するステップＳ６１と、所定のモードで所定の時間洗浄するステップＳ６２と、  排水し、低速で脱水するステップＳ６３、からなる。
【００１３】
更に、ステップＳ６の前記ホルムアルデヒド除去プログラムは洗濯機のローカル又はバックグラウンドサーバに設定される。
【００１４】
更に、ステップＳ６におけるホルムアルデヒド除去プログラムは洗濯プログラム内に設定されており、洗濯プログラムにおける洗浄プログラムとホルムアルデヒド除去プログラムが同時に実行されるか、或いは、ホルムアルデヒド除去プログラムの実行後に洗濯プログラムが実行される。
【００１５】
更に、ステップＳ６で洗濯プログラムにおけるすすぎプログラムを実行する際に、ホルムアルデヒド含有量を検出するプログラムを更に含み、ホルムアルデヒド含有量が許容範囲内であるか否かを判断し、許容範囲内の場合にはすすぎプログラムを実行し、許容範囲内でない場合にはすすぎプログラムにすすぎ回数を追加する。
【００１６】
更に、追加するすすぎ回数は１より多い。
【発明の効果】
【００１７】
上記の技術方案を用いることで、本発明は従来技術と比較して以下のような有益な効果を有する。
【００１８】
１．本発明における衣類のホルムアルデヒドを除去する洗浄方法によれば、洗濯待ち衣類のホルムアルデヒド含有量が自動的に検出されるかユーザにより設定されて、的確な洗浄モードを実行可能となる。よって、洗浄後の衣類に対するユーザの安全性が高まるとともに、洗濯機に対するユーザの多機能要求が満たされる。
【００１９】
２．本発明における衣類のホルムアルデヒドを除去する洗浄方法によれば、洗濯待ち衣類のホルムアルデヒド含有量を効果的に検出し、衣類における基準を超えたホルムアルデヒドを徹底的に除去可能なため、洗濯機の多機能化が強化される。
【００２０】
３．本発明における衣類のホルムアルデヒドを除去する洗浄方法によれば、衣類情報とホルムアルデヒド含有量情報によって、洗浄後の衣類におけるホルムアルデヒドの含有量が安全基準に達するよう保証可能なため、衣類に対するユーザの健康ニーズが満たされる。
【図面の簡単な説明】
【００２１】
【図１】図１は、本発明の実施例におけるホルムアルデヒド検出機能を有する洗濯機の構造図である。
【図２】図２は、本発明の実施例における衣類のホルムアルデヒドを除去する洗浄方法のフローチャートである。
【図３】図３は、本発明の他の実施例における衣類のホルムアルデヒドを除去する洗浄方法のフローチャートである。
【図４】図４は、本発明の他の実施例における衣類のホルムアルデヒドを除去する洗浄方法のフローチャートである。
【発明を実施するための形態】
【００２２】
本発明における上記の目的、特徴及び利点をより明確に理解可能となるよう、以下に図面と具体的実施形態を組み合わせて本発明につき更に詳細に説明する。
【実施例１】
【００２３】
図１に示すように、本発明の実施例で記載する洗濯機には、ホルムアルデヒド検出装置が内蔵されている。前記ホルムアルデヒド検出装置は洗濯機の内部に設けられ、洗濯機の主制御モジュールに接続されている。洗濯機の主制御モジュールは、ホルムアルデヒド検出装置が洗濯機内の洗濯待ち衣類についてホルムアルデヒド含有量を検出するよう制御する。
【００２４】
本発明の実施例で記載するホルムアルデヒド検出装置は、ホルムアルデヒド検出センサ及び検出制御モジュールを含む。前記ホルムアルデヒド検出センサは検出制御モジュールに接続されており、前記検出制御モジュールは洗濯機の主制御モジュールに接続されている。前記検出制御モジュールは、主としてホルムアルデヒド検出センサの信号を収集し、信号のノイズ除去、増幅等の処理を実施することで、ホルムアルデヒド検出センサにより検出されたホルムアルデヒド含有量信号の有効性を保証するとともに、洗濯機内の洗濯待ち衣類のホルムアルデヒド含有量について、ホルムアルデヒド検出装置による検出精度を確保する。
【００２５】
具体的に、前記ホルムアルデヒド検出センサの出力端は検出制御モジュールの入力端に接続されており、前記検出制御モジュールの出力端は洗濯機の主制御モジュールの入力端に接続されている。本実施例では、ホルムアルデヒド検出装置により検出された洗濯機の洗浄槽内の洗濯待ち衣類におけるホルムアルデヒド含有量情報を洗濯機の主制御モジュールに伝送し、検出されたホルムアルデヒド含有量情報に基づいて洗濯機が衣類に対し更なる処理を実施するよう制御する。また、前記洗濯機は、洗濯機の表示モジュールによってホルムアルデヒド含有量情報を表示し、ユーザに通知することも可能である。よって、ユーザによる衣類状態の把握に有用であるとともに、ユーザが洗濯待ち衣類のホルムアルデヒドに対しより的確な洗浄モードを持つためにも有用となる。
【００２６】
前記検出制御モジュールは、増幅回路及び／又はフィルタ回路、及び／又はＤＡ変換回路、及び／又は制御チップを含む。
【００２７】
具体的に、前記ホルムアルデヒド検出センサの出力端は増幅回路の入力端に接続されている。増幅回路の出力端はフィルタ回路の入力端に接続されており、前記フィルタ回路の出力端はＤＡ変換回路の入力端に接続されている。また、ＤＡ変換回路の出力端は制御チップの入力端に接続されている。前記ホルムアルデヒド検出センサは、検出したホルムアルデヒド含有量信号を増幅回路に送信して増幅してから、フィルタ回路に送信してその他の不要な信号及び妨害信号を濾過する。最後に、信号をＤＡ変換回路に送信し、制御チップによって受信及び処理される信号形式に変換する。或いは、フィルタ回路に直接通過させた信号を、そのまま洗濯機の制御チップに送信して処理する。
【００２８】
或いは、本実施例では、ホルムアルデヒド検出センサと洗濯機の主制御モジュールを接続し、ホルムアルデヒド検出センサの信号を洗濯機の主制御モジュールに直接送信して信号収集処理を実行する。
【００２９】
本実施例で記載するホルムアルデヒド検出センサはガスセンサであり、洗濯機の外槽頭部に設けられている。或いは、前記ホルムアルデヒド検出センサは液体センサであり、洗濯機の外槽下部に設けられるとともに、前記液体センサの検出電極が洗浄水に浸される。
【００３０】
具体的に、本実施例のホルムアルデヒド検出センサは洗浄槽内のホルムアルデヒドガスの濃度を検出してもよいし、洗浄水中に溶解したホルムアルデヒドの濃度を検出してもよいし、洗浄槽内のホルムアルデヒドガスの濃度と洗浄水中に溶解したホルムアルデヒドの濃度を双方ともに検出してもよい。前記ホルムアルデヒド検出センサが洗浄槽内のホルムアルデヒドガスの濃度を検出する場合、ホルムアルデヒド検出センサは洗濯機の外槽の頭部に設けられる。これにより、洗浄水に長時間浸かることによる精度への影響が回避されるとともに、ホルムアルデヒド検出センサの使用寿命が長期化する。更には、ホルムアルデヒド検出センサの検出精度が保証される。また、前記ホルムアルデヒド検出センサが液体センサであり、洗浄水中に溶解したホルムアルデヒドの濃度を検出する場合、前記ホルムアルデヒド検出センサは洗濯機の外槽の底部に設けられるとともに、ホルムアルデヒド検出センサの電極の一部が洗浄水に浸される。これにより、水中に溶解したホルムアルデヒドの濃度について、ホルムアルデヒド検出センサによる効果的な検出が保証される。
【００３１】
このほか、前記ホルムアルデヒド検出センサの検出感度は０．０１ＰＰＭ以上であり、且つ、検出範囲は０〜１ＰＰＭ以上である。
【００３２】
しかし、現在のところ、本実施例で記載するホルムアルデヒド検出装置が設けられた洗濯機、又は、ホルムアルデヒド検出装置が設けられない通常の洗濯機のいずれにしても、衣類のホルムアルデヒドを除去する洗浄方法は設けられていない。仮に洗濯機が漬け置き洗いによって洗濯待ち衣類を予洗いし、洗濯待ち衣類に残留するホルムアルデヒドの一部を除去したとしても、衣類におけるホルムアルデヒドの臭気を除去し切ることはできない。このことから、洗濯機によるユーザのパーソナライズニーズの満足度に影響するとの課題がある。
【００３３】
そこで、図２及び図３に示すように、上記の課題を解決すべく、本発明は、衣類のホルムアルデヒドを除去する洗濯機の洗浄方法を提供する。これによれば、ユーザのニーズ及び洗濯機におけるホルムアルデヒド検出装置の検出結果に基づいて、衣類のホルムアルデヒドを除去する方法を実現可能となる。前記洗浄方法は、以下のステップを含む。
【００３４】
Ｓ１：開始。
【００３５】
Ｓ２：洗濯待ち衣類を洗濯機に投入し、洗濯待ち衣類のホルムアルデヒド含有量を検出する。
【００３６】
Ｓ３：給水し、所定の時間だけ漬け置く。
【００３７】
具体的に、本実施例の前記ステップＳ３において所定の時間だけ漬け置く際には、洗浄槽が所定の回転速度及び回転停止比で回転する。
【００３８】
また、所定の回転停止比は１未満とする。即ち、回転時間が停止時間よりも短い。ステップＳ３の漬け置き過程における前記洗浄槽の回転速度は３０〜６０ＲＰＭ、回転時間は５〜６０Ｓの範囲、停止時間は０〜６０Ｓの範囲とする。且つ、回転停止比を設定する際には、回転時間を停止時間よりも短くする。また、回転過程は衣類のホルムアルデヒドの揮発を助け、停止過程は衣類に残留するホルムアルデヒドの十分な溶解を助ける。
【００３９】
更に、ホルムアルデヒドを水中により良く溶解させるために、ステップＳ２とステップＳ３の間に、予漬け置きプログラムであるステップＡ）を追加してもよい。具体的に、予漬け置きプログラムは以下のステップを含む。
【００４０】
Ｓ１０１：洗浄槽内が所定の水位Ｌ１となるまで給水する。
【００４１】
Ｓ１０２：所定の時間Ｔ１だけ漬け置きする。このとき、洗浄槽を所定の回転速度と回転停止比で回転させる。
【００４２】
Ｓ１０３：排水し、低速で脱水する。
【００４３】
ここで、前記所定の水位Ｌ１はステップＳ３の漬け置き水位の１／３〜１／２とする。また、漬け置きの前記所定の時間Ｔ１はステップＳ３における漬け置き時間の１／４〜１／３とする。
【００４４】
本実施例の予漬け置きプログラムは、主として新たな衣類に大量のホルムアルデヒドが残留している場合を対象とし、まず予漬け置きプログラムを実行することで、一部のホルムアルデヒドを水中に溶解させて排出する。前記予漬け置きプログラムは迅速に衣類を浸漬して、洗濯待ち衣類のホルムアルデヒドの一部を洗浄水中に溶解させることが可能である。また、これによれば、ステップＳ３の漬け置きプログラムの実行に有利となり、ステップＳ３の漬け置きプログラムの効率が向上する。更には、洗濯機によるホルムアルデヒドの除去能力強化に有用となる。
【００４５】
Ｓ４：洗濯機内のホルムアルデヒド含有量情報から加熱の要否を判断する。
【００４６】
本実施例では、ステップＳ３で漬け置きを実行する際に、洗濯機内のホルムアルデヒド含有量情報から加熱プログラムの実行要否を判断するステップＳ４を実行する。そして、加熱すると判断されると、漬け置き過程の実行に伴って加熱過程の実行を開始し、且つ、洗浄槽を所定の回転速度と回転停止比で回転させる。これにより、衣類に残留するホルムアルデヒドを効果的に水中へより十分に溶解させ、除去することができる。
【００４７】
更に、ステップＳ４において、洗濯機内のホルムアルデヒド含有量から加熱の要否を判断するにあたり、洗濯機内のホルムアルデヒド含有量が予め定めた値を超えている場合にはステップＳ５を実行する。一方、洗濯機内のホルムアルデヒド含有量が予め定めた値を超えていない場合には、洗濯プログラムを実行する。
【００４８】
或いは、前記洗浄方法で追加すべき所定のすすぎ回数を、洗浄槽内の洗濯待ち衣類におけるホルムアルデヒド含有量に対応させて、その対応関係を洗濯機の主制御モジュールに蓄積しておく。
【００４９】
そして、洗濯機内のホルムアルデヒド含有量が予め定めた値を超えているが、洗濯機により加熱機能を実行不可能な場合には、洗濯プログラムに所定のすすぎ回数を追加する。なお、所定のすすぎ回数は固定値とする。また、前記固定値は１以上である。上記の追加される所定のすすぎ回数とは、ユーザが定めたすすぎ回数を元に洗濯待ち衣類に対し追加されるすすぎ回数のことである。これによれば、洗濯機による洗濯待ち衣類に残留するホルムアルデヒドの除去効果が向上し、洗濯機の全方位的な衣類洗浄機能が保証されるため、洗濯機に対するユーザのパーソナライズニーズが満たされる。
【００５０】
Ｓ５：設定温度まで加熱し、洗浄槽を所定の回転速度及び回転停止比で回転させる。
【００５１】
更に、ステップＳ５における設定温度はホルムアルデヒド含有量に対応しており、その対応関係が洗濯機に蓄積されている。
【００５２】
且つ、前記ステップＳ５における設定温度は漬け置きプログラムにおける給水量とホルムアルデヒド含有量に対応しており、その対応関係が洗濯機に蓄積されている。
【００５３】
具体的には、ステップＳ３における漬け置きの実行開始時にステップＳ４を迅速に実行してから、洗浄水に対し加熱の実行を開始する。洗浄水の加熱には加熱継続過程が存在する。加熱時間が漬け置き時間よりも短い場合には、設定温度まで加熱された時点で加熱は停止されるが、加熱時間が漬け置き時間よりも長い場合には、設定温度まで加熱が持続される。
【００５４】
前記設定温度は３０℃とし、衣類の安全が保証されることを前提に、衣類に残留するホルムアルデヒドを最大限溶解させる。
【００５５】
更に、本実施例で記載する洗浄方法では、ホルムアルデヒドの溶解量が正確に制御され、衣類のホルムアルデヒドが十分に揮発して水中に溶解可能となるよう保証される。これによれば、衣類に残留するホルムアルデヒドが最大限に溶解するため、前記洗浄方法におけるホルムアルデヒドの除去効率が向上する。
【００５６】
Ｓ６：ホルムアルデヒド除去プログラム及び洗濯プログラムを実行する。
【００５７】
更に、ステップＳ６のホルムアルデヒド除去プログラムでは以下を実行する。
【００５８】
Ｓ６１：ホルムアルデヒド用洗浄剤を投入する。
【００５９】
Ｓ６２：所定のモードで所定の時間洗浄する。
【００６０】
Ｓ６３：排水し、低速で脱水する。
【００６１】
更に、ステップＳ６におけるホルムアルデヒド除去プログラムは洗濯プログラム内に設定されているため、洗濯プログラムにおける洗浄プログラムとホルムアルデヒド除去プログラムが同時に実行される。
【００６２】
好ましくは、前記ホルムアルデヒド除去プログラムを洗浄プログラムと同時に実行する。洗浄プログラムの洗浄過程を利用してホルムアルデヒド用洗浄剤と衣類を十分に混合し、衣類に残留するホルムアルデヒド及びホルムアルデヒドの臭気を除去することで、洗浄した衣類を使用する際のユーザエクスペリエンスが向上するとともに、洗濯機に対するユーザのパーソナライズニーズも十分に満たされる。
【００６３】
或いは、ホルムアルデヒド除去プログラムの実行後に洗濯プログラムを実行する。
【００６４】
更に、ステップＳ６で洗濯プログラムにおけるすすぎプログラムを実行する際に、ホルムアルデヒド含有量を検出するプログラムを更に含んでもよい。そして、ホルムアルデヒド含有量が許容範囲内であるか否かを判断し、許容範囲内の場合にはすすぎプログラムを実行する一方、許容範囲内でない場合にはすすぎプログラムにすすぎ回数を追加する。
【００６５】
或いは、本実施例において、衣類のホルムアルデヒドを除去する洗浄方法の使用をユーザが選択しなかった場合には、ステップＳ２で衣類が洗濯機に投入され、洗濯待ち衣類のホルムアルデヒド含有量を検出してから、含有量が予め定めた値よりも大きいか否かを判断する。そして、予め定めた値よりも大きい場合にはステップＳ３を実行し、大きくない場合にはユーザが設定した洗濯プログラムを実行する。
【００６６】
また、衣類を洗濯機に投入し、洗濯待ち衣類のホルムアルデヒド含有量を検出するステップＳ２の後に、更に、検出した洗濯待ち衣類のホルムアルデヒド含有量をユーザに提示してもよい。これによれば、ユーザは衣類の状態をより視覚的に理解可能となり、且つ、ユーザに対し判断の視覚的根拠が提供されるため、簡単且つ直接的となる。
【００６７】
上述したように、本実施例における前記衣類のホルムアルデヒドを除去する洗浄方法には、以下の利点がある。
【００６８】
１）本実施例における衣類のホルムアルデヒドを除去する洗浄方法によれば、効果的にユーザのニーズに基づいて、衣類に残留するホルムアルデヒドを科学的且つ有効に除去する洗浄方法を実行可能である。これによれば、衣類に残留するホルムアルデヒド及び衣類の臭気を徹底的に除去可能となり、洗濯におけるユーザエクスペリエンスが向上する。
【００６９】
２）本実施例では、更に、洗濯待ち衣類のホルムアルデヒド含有量を検出し、衣類における基準を超えたホルムアルデヒドを自動的に除去可能なため、洗濯機の多機能化が強化される。
【００７０】
３）本実施例の衣類に残留する基準を超えたホルムアルデヒドを除去する方法は容易であり、且つ効果が明らかである。
【００７１】
４）本実施例における衣類のホルムアルデヒドを除去する洗浄方法は、ユーザが洗濯プログラムを設定した後に、検出及び除去プログラムが自動的に実行されるため、洗濯機がいっそうスマート化される。
【実施例２】
【００７２】
本実施例で記載する洗濯機には、衣類材質検出モジュールが更に設けられている。前記衣類材質検出モジュールは洗濯機の本体に取り付け可能である。即ち、洗濯機の筐体に懸架されるか、洗濯機の制御パネルに直接取り付けられる。また、衣類材質検出モジュールを携帯型デバイスとし、洗濯機とクライアントＡＰＰがバックグラウンドサーバを介して接続された場合に、小型スペクトラムアナライザが無線方式でクライアントＡＰＰとデータ伝送を行うようにしてもよい。
【００７３】
具体的に、前記衣類材質検出モジュールとしては、次のような検出原理を有する小型スペクトラムアナライザが可能である。即ち、小型スペクトラムアナライザは検出対象物質に近赤外線を照射し、検出対象物質内の活性分子を検出する。続いて、分子振動反射光の光線を分析することで、光線の独特な光学的特徴から材料分子の化学成分組成を特定する。具体的には、検出対象物質から放出された近赤外線についてデータを収集し、濾波器で濾過した後に、相応の増幅器を経由して相応のプロセッサに送出し処理する。そして、処理したデータを相応のアルゴリズムで分析し、最終的に識別データとして分析済みのデータを取得する。
【００７４】
通常のスペクトラムアナライザと比較して、小型スペクトラムアナライザにはモジュール化及び高速収集との特徴がある。また、体積が小さく、より柔軟にスペクトルシステムを構築可能なことから、小型スペクトラムアナライザは洗濯機の制御パネルに直接装着可能である。ユーザが洗浄前に洗濯待ち衣類を当該装置の前方に置けば、小型スペクトラムアナライザによって衣類の素材成分が走査識別され、識別データが取得される。このとき、衣類を一着走査するごとに対応する識別データを取得可能である。
【００７５】
或いは、前記衣類材質検出モジュールは、衣類の材質情報を検出するスペクトラムアナライザとしてもよい。
【００７６】
更に、図４に示すように、ステップＳ２で洗濯待ち衣類が洗濯機に投入され、洗濯待ち衣類のホルムアルデヒド含有量を検出した後に、更に以下のステップを含む。
【００７７】
Ｓ２２：衣類の材質種別、衣類の重量情報を含む衣類情報を取得する。
【００７８】
Ｓ２３：ホルムアルデヒド含有量及び衣類情報から給水量を取得し、算出された給水量に基づいてステップＳ３を実行する。
【００７９】
ステップＳ５における設定温度はホルムアルデヒド含有量及び衣類の材質に対応しており、その対応関係が洗濯機に蓄積されている。
【００８０】
或いは、ステップＳ５における設定温度はホルムアルデヒド含有量、衣類の材質及び漬け置き過程での給水量に対応しており、その対応関係が洗濯機に蓄積されている。
【００８１】
具体的な衣類成分情報には、木綿布、麻布、絹織物、羽毛、毛織物、レザー、化学繊維、混紡、マーセライズコットン、シフォン、マルベリーシルク、ビスコース、アセテート繊維、ポリエステル、改質ポリプロピレン、ポリプロピレン、スパンデックス、ビニロン、純麻織物、カラムシ、麻混織物、パレス、ギャバジン、プラッシュ、メルトン、カシミヤ、ドリル、モヘア、綿・麻混紡、ポリエステル・麻混紡、絹糸、本絹、テンセル、アクリル、ポリエステル・綿混紡、ポリエステル・絹混紡のうちの少なくとも一つが含まれる。
【００８２】
識別データは衣類成分情報に対応しており、その対応関係が第１データベースに蓄積されている。第１データベースは、洗濯機及び／又はクラウドに設けられる。
【００８３】
そして、相応の対応関係から加熱設定温度を算出することで、衣類の安全を保証しつつ、衣類に残留するホルムアルデヒドを十分に溶解させるため、洗濯機によるホルムアルデヒドの除去効率が向上する。
【００８４】
本実施例では、ステップＳ６の前記ホルムアルデヒド除去プログラムが洗濯機のローカル又はバックグラウンドサーバに設定される。
【００８５】
洗濯機は検出したホルムアルデヒド含有量情報を洗濯機のローカルに表示するか、或いは、バックグラウンドサーバを通じてユーザが使用する洗濯プログラム端末に送信し、ユーザに対して加熱温度を通知する。算出される設定温度は温度区間としてもよく、ユーザニーズに応じて所望の温度値を設定してもよい。これにより、前記洗濯機のスマート化及びヒューマナイズ機能が実現される。
【実施例３】
【００８６】
本実施例では、取得した衣類の材質種別及び衣類の重量情報を含む衣類情報と、ホルムアルデヒド含有量情報とに基づいて、ホルムアルデヒド用洗浄剤と衣類情報及びホルムアルデヒド含有量との対応関係からホルムアルデヒド用洗浄剤の投入量を算出し、算出した投入量に基づいて投入を実施する。
【００８７】
ホルムアルデヒド用洗浄剤は衣類情報及びホルムアルデヒド含有量に対応しており、その対応関係が洗濯機内又はバックグラウンドサーバに蓄積されている。また、洗濯機或いはバックグラウンドサーバによって、洗濯機が衣類のホルムアルデヒドを除去するよう制御する。
【００８８】
或いは、ホルムアルデヒド用洗浄剤は、衣類情報、ホルムアルデヒド含有量及びホルムアルデヒド除去のための給水量に対応しており、その対応関係が洗濯機内又はバックグラウンドサーバに蓄積されている。また、洗濯機或いはバックグラウンドサーバによって、洗濯機が衣類のホルムアルデヒドを除去するよう制御する。上記の方法によれば、衣類に残留するホルムアルデヒドの徹底的な除去がより正確に実現されるとともに、洗濯機によるホルムアルデヒド除去のスマート化及び全面化を向上させられる。
【実施例４】
【００８９】
本実施例で記載する衣類のホルムアルデヒドを除去する洗浄方法は洗濯機に設定されている。前記洗濯機の制御パネルにはホルムアルデヒド除去プログラムが設定されているため、ユーザは視覚的且つ容易にホルムアルデヒドの除去を実行可能となる。前記洗濯機は、更に、衣類の重量に基づいて相応の洗浄パラメータと水の使用量を自動的にマッチングさせられるため、ホルムアルデヒドの除去を実現しつつ、衣類を良好に保護可能である。洗浄が終了すると、前記洗濯機はユーザに対し速やかに衣類を取り出すよう自動的に注意を促すため、衣類が洗濯機内に長時間放置されるとの事態が防止される。
【００９０】
或いは、本実施例では、洗濯機に接続されるクライアントＡＰＰを用いてホルムアルデヒド除去プログラムの選択及び制御を実現する。前記クライアントＡＰＰはバックグラウンドサーバを介して洗濯機に接続され、且つ、クライアントＡＰＰとバックグラウンドサーバ、バックグラウンドサーバと洗濯機がワイヤレス接続される。クライアントＡＰＰは、設定されたホルムアルデヒド除去プログラム情報に基づいて、バックグラウンドサーバに設定されている関連の洗浄パラメータを取得可能であり、且つ、パラメータを洗濯機の底板に送信する。これにより、洗濯機は所定のパラメータに基づいて対応するフローを実行可能となる。バックグラウンドサーバには、例えば、給水時回転速度、給水時回転停止時間、漬け置き時間、漬け置き時回転停止時間、加熱温度、洗浄時間、洗浄時回転速度、洗浄時回転停止時間、すすぎ回数、すすぎ時回転速度、脱水時間、脱水時回転速度といった前記衣類のホルムアルデヒドを除去する洗浄方法に関する各種パラメータが設定されている。サーバに設定されているホルムアルデヒド除去パラメータは、遠隔制御によってネットワーク経由で洗濯機のコントロールボードに送信され、コントロールボードがホルムアルデヒドを除去する洗浄フローを実行する。洗浄完了後、クライアントＡＰＰはポップアップ又はその他の注意喚起方式でユーザに対し注意を促すことが可能である。このように、上述した衣類のホルムアルデヒドを除去する洗濯機の洗浄方法は、更なるスマート化、簡略化、ヒューマニゼーションが実現される。
【００９１】
上記実施例の実施方案は、更なる組み合わせ又は置き換えが可能である。また、実施例は本発明の好ましい実施例について述べたものにすぎず、本発明の構想及び範囲を限定するものではない。本発明の設計思想を逸脱しないことを前提に、当業者が本発明の技術方案について実施する各種の変形及び改良は、いずれも本発明の保護の範囲に属する。
【図１】
2019514519.tif 000003
【図２】
2019514519.tif 000004
【図３】
2019514519.tif 000005
【図４】
2019514519.tif 000006
【国際調査報告】
2019514519.tif 000007
2019514519.tif 000008
2019514519.tif 000009
2019514519.tif 000010